【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
情報処理装置とサーバとが通信可能な情報処理システムであって、
前記サーバは、
前記情報処理装置から、カートリッジ回収による温室効果ガスの削減効果を示す結果を算出可能なプログラムを含む画像制御情報の要求を受け付ける第一の受付手段と、
前記第一の受付手段により受け付けた要求に応じて、前記画像制御情報を前記情報処理装置に送信する第一の送信手段と
を備え、
前記情報処理装置は、
前記サーバに対して前記画像制御情報を要求する第一の要求手段と、
前記第一の送信手段により送信された前記画像制御情報を受信する第一の受信手段と、
前記第一の受信手段により受信された前記画像制御情報を用いて、任意の月あたりに回収されるカートリッジの本数をユーザに入力させるための入力領域を含む第一の画面をウェブブラウザに表示する制御を行う第一の表示手段と、
前記第一の受信手段により受信された前記画像制御情報を用いて、ユーザが回収期間の選択が可能な領域および回収期間の入力が可能な領域を含む第二の画面をウェブブラウザに表示する制御を行う第二の表示手段と、
前記第一の表示手段により表示された第一の画面を介して入力された任意の月あたりに回収されるカートリッジの本数を受け付け、さらに前記第二の表示手段により表示された第二の画面を介して選択または入力された回収期間を受け付ける受付手段と、
前記受付手段により受け付けた任意の月あたりに回収されるカートリッジの本数と、前記回収期間と、当該カートリッジに対応する前記サーバから取得した係数情報とを用いて、前記プログラムを実行することで、温室効果ガスの削減効果を示す結果を算出する算出手段と、
前記算出手段により算出された結果を含む第三の画面をウェブブラウザに表示する制御を行う第三の表示手段と
を備えるものであり、
前記サーバは更に、
前記情報処理装置から、特定のカートリッジの種類に対応する前記係数情報の要求を受け付ける第二の受付手段と、
前記第二の受付手段により受け付けた要求に応じて、前記特定のカートリッジの種類に対応する前記係数情報を前記情報処理装置に送信する第二の送信手段とを備え、
前記情報処理装置は更に、
前記サーバから受信した前記特定のカートリッジの種類に対応する前記係数情報を記憶する記憶手段と、
ユーザにより前記特定のカートリッジの種類が入力された後に、当該特定のカートリッジの種類に対応する前記係数情報が、前記記憶手段により記憶されているかを判断する判断手段と、
前記判断手段による判断の結果、前記係数情報が記憶されていないと判断された場合、前記サーバに対して前記特定のカートリッジの種類に対応する前記係数情報を要求する第二の要求手段と、
前記第二の送信手段により送信された前記特定のカートリッジの種類に対応する前記係数情報を受信する第二の受信手段とを備え、
前記算出手段は、前記受付手段により受け付けた任意の月あたりに回収されるカートリジの本数と、前記回収期間と、前記第二の受信手段により受信した前記特定のカートリッジの種類に対応する前記係数情報とを用いて、前記プログラムを実行することで、温室効果ガスの削減効果を示す結果を算出することを特徴とする情報処理システム。
【請求項２】
前記第二の表示手段は、前記カートリッジの回収期間として予め定められた回収期間の選択が可能な選択領域と、任意の回収期間を入力する選択が可能な選択入力領域とをそれぞれ含む第二の画面をウェブブラウザに表示し、ユーザにより当該選択入力領域が選択された場合、当該選択入力領域に、ユーザが任意の回収期間を入力可能な入力領域を表示するものであり、
前記受付手段は、前記第二の表示手段により表示された画面を介してユーザにより予め定められた回収期間が選択された場合には、当該定められた回収期間を、一方、ユーザにより前記入力領域を介して任意の回収期間が入力された場合には、当該入力された回収期間を受け付けることを特徴とする請求項１に記載の情報処理システム。
【請求項３】
情報処理装置とサーバとが通信可能な情報処理システムにおける情報処理方法であって、
前記サーバは、
前記情報処理装置から、カートリッジ回収による温室効果ガスの削減効果を示す結果を算出可能なプログラムを含む画像制御情報の要求を受け付ける第一の受付ステップと、
前記第一の受付ステップにより受け付けた要求に応じて、前記画像制御情報を前記情報処理装置に送信する第一の送信ステップと
を含み、
前記情報処理装置は、
前記サーバに対して前記画像制御情報を要求する第一の要求ステップと、
前記第一の送信ステップにより送信された前記画像制御情報を受信する第一の受信ステップと、
前記第一の受信ステップにより受信された前記画像制御情報を用いて、任意の月あたりに回収されるカートリッジの本数をユーザに入力させるための入力領域を含む第一の画面をウェブブラウザに表示する制御を行う第一の表示ステップと、
前記第一の受信ステップにより受信された前記画像制御情報を用いて、ユーザが回収期間の選択可能な領域および回収期間の入力が可能な領域を含む第二の画面をウェブブラウザに表示する制御を行う第二の表示ステップと、
前記第一の表示ステップにより表示された第一の画面を介して入力された任意の月あたりに回収されるカートリッジの本数を受け付け、さらに前記第二の表示ステップにより表示された第二の画面を介して選択または入力された回収期間を受け付ける受付ステップと、
前記受付ステップにより受け付けた任意の月あたりに回収されるカートリッジの本数と、前記回収期間と、当該カートリッジに対応する前記サーバから取得した係数情報とを用いて、前記プログラムを実行することで、温室効果ガスの削減効果を示す結果を算出する算出ステップと、
前記算出ステップにより算出された結果を含む第三の画面をウェブブラウザに表示する制御を行う第三の表示ステップと
を含むものであり、
前記サーバは更に、
前記情報処理装置から、特定のカートリッジの種類に対応する前記係数情報の要求を受け付ける第二の受付ステップと、
前記第二の受付ステップにより受け付けた要求に応じて、前記特定のカートリッジの種類に対応する前記係数情報を前記情報処理装置に送信する第二の送信ステップとを含み、
前記情報処理装置は更に、
前記サーバから受信した前記特定のカートリッジの種類に対応する前記係数情報を記憶する記憶ステップと、
ユーザにより前記特定のカートリッジの種類が入力された後に、当該特定のカートリッジの種類に対応する前記係数情報が、前記記憶ステップにより記憶されているかを判断する判断ステップと、
前記判断ステップによる判断の結果、前記係数情報が記憶されていないと判断された場合、前記サーバに対して前記特定のカートリッジの種類に対応する前記係数情報を要求する第二の要求ステップと、
前記第二の送信ステップにより送信された前記特定のカートリッジの種類に対応する前記係数情報を受信する第二の受信ステップとを含み、
前記算出ステップは、前記受付ステップにより受け付けた任意の月あたりに回収されるカートリジの本数と、前記回収期間と、前記第二の受信ステップにより受信した前記特定のカートリッジの種類に対応する前記係数情報とを用いて、前記プログラムを実行することで、温室効果ガスの削減効果を示す結果を算出することを特徴とする情報処理方法。
【請求項４】
情報処理装置とサーバとが通信可能な情報処理システムにおいて実行可能なプログラムであって、
前記サーバを、
前記情報処理装置から、カートリッジ回収による温室効果ガスの削減効果を示す結果を算出可能なプログラムを含む画像制御情報の要求を受け付ける第一の受付手段、
前記第一の受付手段により受け付けた要求に応じて、前記画像制御情報を前記情報処理装置に送信する第一の送信手段
として機能させ、
前記情報処理装置を、
前記サーバに対して前記画像制御情報を要求する第一の要求手段、
前記第一の送信手段により送信された前記画像制御情報を受信する第一の受信手段、
前記第一の受信手段により受信された前記画像制御情報を用いて、任意の月あたりに回収されるカートリッジの本数をユーザに入力させるための入力領域を含む第一の画面をウェブブラウザに表示する制御を行う第一の表示手段、
前記第一の受信手段により受信された前記画像制御情報を用いて、ユーザが回収期間の選択可能な領域および回収期間の入力が可能な領域を含む第二の画面をウェブブラウザに表示する制御を行う第二の表示手段、
前記第一の表示手段により表示された第一の画面を介して入力された任意の月あたりに回収されるカートリッジの本数を受け付け、さらに前記第二の表示手段により表示された第二の画面を介して選択または入力された回収期間を受け付ける受付手段、
前記受付手段により受け付けた任意の月あたりに回収されるカートリッジの本数と、前記回収期間と、当該カートリッジに対応する前記サーバから取得した係数情報とを用いて、前記プログラムを実行することで、温室効果ガスの削減効果を示す結果を算出する算出手段、
前記算出手段により算出された結果を含む第三の画面をウェブブラウザに表示する制御を行う第三の表示手段
として機能させるものであり、
前記サーバを更に、
前記情報処理装置から、特定のカートリッジの種類に対応する前記係数情報の要求を受け付ける第二の受付手段、
前記第二の受付手段により受け付けた要求に応じて、前記特定のカートリッジの種類に対応する前記係数情報を前記情報処理装置に送信する第二の送信手段として機能させ、
前記情報処理装置を更に、
前記サーバから受信した前記特定のカートリッジの種類に対応する前記係数情報を記憶する記憶手段、
ユーザにより前記特定のカートリッジの種類が入力された後に、当該特定のカートリッジの種類に対応する前記係数情報が、前記記憶手段により記憶されているかを判断する判断手段、
前記判断手段による判断の結果、前記係数情報が記憶されていないと判断された場合、前記サーバに対して前記特定のカートリッジの種類に対応する前記係数情報を要求する第二の要求手段、
前記第二の送信手段により送信された前記特定のカートリッジの種類に対応する前記係数情報を受信する第二の受信手段として機能させ、
前記算出手段は、前記受付手段により受け付けた任意の月あたりに回収されるカートリジの本数と、前記回収期間と、前記第二の受信手段により受信した前記特定のカートリッジの種類に対応する前記係数情報とを用いて、前記プログラムを実行することで、温室効果ガスの削減効果を示す結果を算出することを特徴とするプログラム。
【手続補正２】
【補正対象書類名】明細書
【補正対象項目名】発明の名称
【補正方法】変更
【補正の内容】
【発明の名称】情報処理システム、情報処理方法、プログラム
【手続補正３】
【補正対象書類名】明細書
【補正対象項目名】００１９
【補正方法】変更
【補正の内容】
【００１９】
本発明の情報処理システムは、情報処理装置とサーバとが通信可能な情報処理システムであって、前記サーバは、前記情報処理装置から、カートリッジ回収による温室効果ガスの削減効果を示す結果を算出可能なプログラムを含む画像制御情報の要求を受け付ける第一の受付手段と、前記第一の受付手段により受け付けた要求に応じて、前記画像制御情報を前記情報処理装置に送信する第一の送信手段とを備え、前記情報処理装置は、前記サーバに対して前記画像制御情報を要求する第一の要求手段と、前記第一の送信手段により送信された前記画像制御情報を受信する第一の受信手段と、前記第一の受信手段により受信された前記画像制御情報を用いて、任意の月あたりに回収されるカートリッジの本数をユーザに入力させるための入力領域を含む第一の画面をウェブブラウザに表示する制御を行う第一の表示手段と、前記第一の受信手段により受信された前記画像制御情報を用いて、ユーザが回収期間の選択が可能な領域および回収期間の入力が可能な領域を含む第二の画面をウェブブラウザに表示する制御を行う第二の表示手段と、前記第一の表示手段により表示された第一の画面を介して入力された任意の月あたりに回収されるカートリッジの本数を受け付け、さらに前記第二の表示手段により表示された第二の画面を介して選択または入力された回収期間を受け付ける受付手段と、前記受付手段により受け付けた任意の月あたりに回収されるカートリッジの本数と、前記回収期間と、当該カートリッジに対応する前記サーバから取得した係数情報とを用いて、前記プログラムを実行することで、温室効果ガスの削減効果を示す結果を算出する算出手段と、前記算出手段により算出された結果を含む第三の画面をウェブブラウザに表示する制御を行う第三の表示手段とを備えるものであり、前記サーバは更に、前記情報処理装置から、特定のカートリッジの種類に対応する前記係数情報の要求を受け付ける第二の受付手段と、前記第二の受付手段により受け付けた要求に応じて、前記特定のカートリッジの種類に対応する前記係数情報を前記情報処理装置に送信する第二の送信手段とを備え、前記情報処理装置は更に、前記サーバから受信した前記特定のカートリッジの種類に対応する前記係数情報を記憶する記憶手段と、ユーザにより前記特定のカートリッジの種類が入力された後に、当該特定のカートリッジの種類に対応する前記係数情報が、前記記憶手段により記憶されているかを判断する判断手段と、前記判断手段による判断の結果、前記係数情報が記憶されていないと判断された場合、前記サーバに対して前記特定のカートリッジの種類に対応する前記係数情報を要求する第二の要求手段と、前記第二の送信手段により送信された前記特定のカートリッジの種類に対応する前記係数情報を受信する第二の受信手段とを備え、前記算出手段は、前記受付手段により受け付けた任意の月あたりに回収されるカートリジの本数と、前記回収期間と、前記第二の受信手段により受信した前記特定のカートリッジの種類に対応する前記係数情報とを用いて、前記プログラムを実行することで、温室効果ガスの削減効果を示す結果を算出することを特徴とする。